(57)【要約】      （修正有）【課題】実際の静電容量の変化に伴う出力電圧よりも感度を高めつつもノイズの影響を受けないタッチパネルの駆動方法の提供。【解決手段】入力される静電容量の変化に伴う電圧の値と予め格納された値とを比較し、その比較結果に応じて最小値格納部または最大値格納部に静電容量の変化に伴う電圧値を格納し、重み付けが適用された平均値格納部に格納された値を用いてその格納された電圧の値に重み付け平均化処理を行うサンプリング部と、平均値格納部からの最小平均値または最大平均値に第１のゲイン値を適用して増幅し、その増幅された最大平均値と最小平均値との差に第２のゲイン値を適用する最大／最小引き算部と、上記最大／最小引き算部からの出力値をデジタル値に変換させるアナログ／デジタル変換部と、上記アナログ／デジタル変換部からの出力値に基づいて上記タッチパネルのタッチを認識し、最大／最小引き算部のゲインコントロールを行う。【選択図】図２
2011198368.tif 000002
【特許請求の範囲】
【請求項１】
タッチパネルの駆動装置であって、
入力としてタッチパネルの静電容量の変化に伴う電圧を受信し、前記受信された電圧の値と予め格納された値とを比較し、その比較結果に応じて最小値格納部または最大値格納部に前記電圧の値を格納し、重み付けが適用された平均値格納部に格納された値を用いて前記格納された電圧の値に重み付け平均化処理を行うサンプリング部と、
前記平均値格納部に格納された平均値を受信し、前記平均値を順次出力するマルチプレクサーと、
前記マルチプレクサーから入力される最小平均値または最大平均値を受信し、前記最小平均値および最大平均値に第１のゲイン値を適用して増幅し、その増幅された最大平均値と最小平均値との差に第２のゲイン値を適用する最大／最小引き算部と、
前記最大／最小引き算部から入力される出力値を受信し、前記出力値をデジタル値に変換させるアナログ／デジタル変換部と、
前記アナログ／デジタル変換部から入力される出力値を受信し、前記タッチパネルのタッチを認識し、前記最大／最小引き算部のゲインコントロールを行う制御部と
を含むことを特徴とするタッチパネルの駆動装置。
【請求項２】
前記サンプリング部は、
前記予め格納された値と現在入力された値とを比較する少なくとも一つの比較器と、
前記比較器の比較結果として、前記現在入力された値が予め格納された値よりも小さい場合、入力された値が格納される少なくとも一つの最小値格納部と、
前記最小値格納部に格納された値と平均が取られる重み付けが適用された少なくとも一つの最小平均値格納部と、
前記比較器の比較結果として、前記現在入力された値が予め格納された値よりも大きい場合、入力された値が格納される少なくとも一つの最大値格納部と、
前記最大値格納部に格納された値と平均が取られる重み付けが適用された少なくとも一つの最大平均値格納部と
を含むことを特徴とする請求項１に記載のタッチパネルの駆動装置。
【請求項３】
前記最小値格納部及び前記最大値格納部の各々は、第１の電気容量をもつ第１のキャパシタから構成され、
前記最小平均値格納部及び前記最大平均値格納部の各々は、第１の電気容量に重み付けが適用された第２の電気容量をもつ第２のキャパシタから構成され、
前記第１のキャパシタ及び前記第２のキャパシタは、スイッチを介して互いに並列接続されることを特徴とする請求項２に記載のタッチパネルの駆動装置。
【請求項４】
前記最大／最小引き算部は、
前記マルチプレクサーからの最小平均値を受信し、前記最小平均値を前記第１のゲイン値で増幅する最小値増幅器と、
前記マルチプレクサーからの最大平均値を受信し、前記最大平均値を前記第１のゲイン値で増幅する最大値増幅器、及び
前記最小値増幅器の出力値と前記最大値増幅器の出力値とを受信し、前記最小値増幅器の出力値と前記最大値増幅器の出力値との差を出力する引き算器と
を含むことを特徴とする請求項１に記載のタッチパネルの駆動装置。
【請求項５】
タッチパネルの駆動方法であって、
入力としてタッチパネルの静電容量の変化に伴う電圧を受信し、前記電圧の値と予め格納された値とを比較するステップと、
前記比較の結果として、予め格納された値よりも前記電圧の値が小さい場合は、前記電圧の値を最小値格納部に格納し、予め格納された値よりも前記電圧の値が大きい場合は、前記電圧の値を最大値格納部に格納するステップと、
重み付けが適用された平均値格納部に格納された値を用いて前記最小値格納部または最大値格納部に格納された値に重み付け平均化処理を行い、前記重み付け平均化処理を行った値を最小平均値格納部または最大平均値格納部に格納するステップと、
前記最小平均値格納部または最大平均値格納部に格納された値を順次出力するステップと、
出力された最大平均値と最小平均値との差を求め、その差を出力するステップと
を含むことを特徴とするタッチパネルの駆動方法。
【請求項６】
前記予め格納された値と比較するステップにおいて、予め格納された値がない場合は、入力された値を前記最小値格納部及び前記最大値格納部に格納することを特徴とする請求項５に記載のタッチパネルの駆動方法。
【請求項７】
出力された最大平均値と最小平均値との差を求め、その差を出力するステップは、
出力された最大平均値及び最小平均値を第１のゲイン値を適用して増幅した後、増幅された最大平均値と最小平均値との差を求め、その差を出力することを特徴とする請求項５に記載のタッチパネルの駆動方法。
【請求項８】
前記最大平均値と最小平均値との差に第２のゲイン値を適用して出力することを特徴とする請求項７に記載のタッチパネルの駆動方法。
【発明の詳細な説明】
【技術分野】
【０００１】
本発明は、タッチパネルの駆動装置及びタッチパネルの駆動方法に係り、より詳しくは、タッチによる静電容量の変化に伴う電圧を連続的な重み付け平均化駆動によって決定し、安定して信号を処理するタッチパネルの駆動装置及びタッチパネルの駆動方法に関する。
【背景技術】
【０００２】
図１は、従来技術によるタッチパネルの駆動装置を示す（例えば特許文献１，２参照）。図１を参照すると、従来のタッチパネルの駆動装置は、増幅入力部１０と、サンプリング部２０と、マルチプレクサー３０と、アナログ／デジタル変換部４０と、制御部５０とを含んでなる。
【０００３】
増幅器入力部１０では、タッチパネルに指先が接触することでその接触された画素に接続されたキャパシタの静電容量の変化に伴う電圧が入力されると、その電圧を増幅された電圧値に増幅するようになる。
【０００４】
サンプリング部２０では、上記増幅入力部１０からのチャンネルごとの出力電圧を格納した後、マルチプレクサー３０を介して上記出力電圧をアナログ／デジタル変換部４０へ送る。
【０００５】
上記アナログ／デジタル変換部４０では、上記入力された出力電圧をデジタル値に変換してから制御部５０へ送る。
上記制御部５０では、上記アナログ／デジタル変換部４０から受信した値に基づいてタッチパネルへの外部タッチの発生の有無を認識し、タッチ位置を認識するようになる。
【０００６】
従来のタッチパネルの駆動装置において上記サンプリング部は、チャンネル数分の単一出力の増幅器から構成され、チャンネルごとの出力電圧を格納し増幅して、マルチプレクサーを介して該出力電圧を転送する役割だけをしていた。
【０００７】
従来のタッチパネルの駆動装置では、周辺の環境が変化したり、パネル状態が変更されたりすると、安定して感度の高いタッチセンシング動作を保障しにくくなる。すなわち、環境の変化などによる誤作動（ｆａｌｓｅ  ｔｒｉｇｇｅｒｉｎｇ）に対応しにくいという不具合がある。
【先行技術文献】
【特許文献】
【０００８】
【特許文献１】韓国特許出願第１０−２００７−００８２９５９号明細書
【特許文献２】韓国特許出願第１０−２００７−００８２６４３号明細書
【発明の概要】
【発明が解決しようとする課題】
【０００９】
本発明は、上述したような従来技術の問題点を解決するためになされたものであって、その目的は、タッチパネルへのタッチがなされた時とタッチがなされていない時の静電容量の変化に伴う電圧が平均値処理した最大値と最小値の差に基づいて決定されるように制御することによって、実際の静電容量の変化に伴う出力電圧よりもセンシング感度を高めつつもノイズに影響を受けない信号処理が可能なタッチパネルの駆動装置及び方法を提供することである。
【００１０】
本発明の他の目的は、周辺の環境の変化などにより誤作動（ｆａｌｓｅ  ｔｒｉｇｇｅｒｉｎｇ）が発生する場合にも、かかる変化に対して影響を受けずに反応するようにするタッチパネルの駆動装置及び方法を提供することである。
【課題を解決するための手段】
【００１１】
上記のような目的を達成するための本発明によるタッチパネルの駆動装置は、入力されるタッチパネルの静電容量の変化に伴う電圧と予め格納された値とを比較し、その比較結果に応じて最小値格納部または最大値格納部に格納し、重み付けが適用された平均値格納部に格納された値と重み付け平均化処理を取って格納するサンプリング部と、上記平均値格納部に格納された平均値が入力され、それを順次出力するマルチプレクサーと、上記マルチプレクサーからの最小平均値または最大平均値に第１のゲイン値を適用して増幅し、その増幅された最大平均値と最小平均値の差に第２のゲイン値を適用する最大／最小引き算部と、上記最大／最小引き算部からの出力値をデジタル値に変換させるアナログ／デジタル変換部、及び上記アナログ／デジタル変換部からの出力値に基づいて上記タッチパネルのタッチを認識し、上記最大／最小引き算部のゲインコントロールを行う制御部と、を含む。
【００１２】
このとき、上記サンプリング部は、上記予め格納された値と現在入力された値とを比較する少なくとも一つの比較器と、上記比較器の比較結果、上記現在入力された値が予め格納された値よりも小さい場合、入力された値が格納される少なくとも一つの最小値格納部と、上記最小値格納部に格納された値と平均が取られる重み付けが適用された少なくとも一つの最小平均値格納部と、上記比較器の比較結果、上記現在入力された値が予め格納された値よりも大きい場合、入力された値が格納される少なくとも一つの最大値格納部、及び上記最大値格納部に格納された値と平均が取られる重み付けが適用された少なくとも一つの最大平均値格納部と、を含んでいてよい。
【００１３】
このとき、上記最小値格納部及び上記最大値格納部は、第１の電気容量をもつ第１のキャパシタから構成され、上記最小平均値格納部及び上記最大平均値格納部は、第１の電気容量に重み付けが適用された第２の電気容量をもつ第２のキャパシタから構成され、上記第１のキャパシタ及び上記第２のキャパシタは、スイッチを介して並列接続されていてよい。
【００１４】
このとき、上記最大／最小引き算部は、上記マルチプレクサーからの最小平均値を上記第１のゲイン値で増幅する最小値増幅器と、上記マルチプレクサーからの最大平均値を上記第１のゲイン値で増幅する最大値増幅器、及び上記最小値増幅器と上記最大値増幅器からの出力値の差を求め、その差を出力する引き算器と、を含んでいてよい。
【００１５】
上記のような目的を達成するための本発明によるタッチパネルの駆動方法は、入力されるタッチパネルの静電容量の変化に伴う電圧と予め格納された値とを比較するステップと、上記比較の結果、予め格納された値よりも入力された値が小さい場合は、入力された値を最小値格納部に格納し、予め格納された値よりも入力された値が大きい場合は、入力された値を最大値格納部に格納するステップと、上記最小値格納部または最大値格納部に格納された値を重み付けが適用された平均値格納部に格納された値と重み付け平均化処理を行って最小平均値格納部または最大平均値格納部に格納するステップと、上記最小平均値格納部または最大平均値格納部に格納された値を順次出力するステップ、及び出力された最大平均値及び最小平均値の差を求め、その差を出力するステップとを、含む。
【００１６】
このとき、上記予め格納された値と比較する段階において、予め格納された値がない場合は、入力された値を上記最小値格納部及び上記最大値格納部に格納すればよい。
このとき、出力された最大平均値及び最小平均値の差を求め、その差を出力するステップは、出力された最大平均値及び最小平均値に対して第１のゲイン値を適用して増幅した後、増幅された最大平均値及び最小平均値の差を求め、その差を出力することができる。
【００１７】
このとき、上記最大平均値及び最小平均値の差に第２のゲイン値を適用して出力することができる。
【発明の効果】
【００１８】
以上で説明した本発明によるタッチパネルの駆動装置及び方法の効果について説明すると、次のとおりである。
タッチパネルの静電容量の変化に伴う電圧を用いてタッチの認識制御を行うにあたって、タッチパネルへのタッチがなされた時とタッチがなされていない時の静電容量の変化に伴う電圧が平均値処理した最大値と最小値の差に基づいて決定されるように制御することにより、実際の静電容量の変化に伴う出力電圧よりもセンシング感度を高めつつもノイズに影響を受けないようにすることができる。
【００１９】
したがって、本発明によって最大／最小値の平均値にてサンプリングされ、最大／最小引き算部による最大値及び最小値の差に基づいて出力電圧を決定することにより、誤作動によるタッチの認識エラーを低減することができる。
【図面の簡単な説明】
【００２０】
【図１】従来技術によるタッチパネルの駆動装置を示す図である。
【図２】本発明の一実施形態によるタッチパネルの駆動装置の構成を示す図である。
【図３】入力部が単一出力増幅部である場合のサンプリング部の構成の実施形態を示す図である。
【図４】入力部が単一出力増幅部である場合の最大／最小引き算部４００の構成の実施形態を示す図である。
【図５】入力部が２つの出力を有する差動増幅部である場合のサンプリング部の構成の実施形態を示す図である。
【図６】入力部が２つの出力を有する差動増幅部である場合の最大／最小引き算部４００の構成の実施形態を示す図である。
【図７】各フレームに対するδ（ｍｘｐ、ｍｘｎ）及びδ（ｍｎｐ、ｍｎｎ）の電圧値を示す図である。
【図８】上記δ（ｍｘｐ、ｍｘｎ）及びδ（ｍｎｐ、ｍｎｎ）の差を示す図である。
【図９】本発明による重み付け平均化処理に関する効果を例示する図である。
【図１０】上記図９のように出力値が一定時間の経過後にもほとんど一定に保持される場合の平均値の変化を示すグラフである。
【図１１】出力値が途中で正常動作域を外れた場合の平均値の変化を示す図である。
【図１２】本発明によるタッチパネルの駆動装置の制御のための信号のタイミングを示す図である。
【発明を実施するための形態】
【００２１】
本発明の他の目的、特徴及び利点は、添付の図面を参照した実施形態の詳細な説明により明らかになるであろう。
以下、上記目的を具体的に実現することのできる本発明の好適な実施形態について、添付の図面を参照して説明する。なお、図面に図示され、またそれに基づいて説明される本発明の構成や作用は、あくまでも一つの実施形態として説明されるものに過ぎず、これによって本発明の技術的思想やその核心構成及び作用が制限されるものではない。
【００２２】
図２は、本発明の一実施形態によるタッチパネルの駆動装置の構成を示す。図２を参照すると、タッチパネルの駆動装置は、入力部１００と、サンプリング部２００と、マルチプレクサー３００と、最大／最小引き算部４００と、アナログ／デジタル変換部５００と、制御部６００と、を含んでなる。
【００２３】
上記入力部１００では、タッチパネルに指先などが接触することで、その接触されたタッチパネルの表面に対応する画素のキャパシタの静電容量の変化に伴う電圧が入力されると、該電圧をタッチパネルを制御するための電圧に増幅するようになる。
【００２４】
このとき、入力部１００としては、単一出力増幅器が使用されていてよく、また、正と負の値を出力する差動増幅器が使用されていてもよい。
サンプリング部２００は、上記入力部１００から入力された値を受信し、その入力された電圧と予め格納された値とを比較する。サンプリング部２００は、その比較結果に応じて最小値格納部または最大値格納部にその入力された値を格納し、その入力された値と、重み付けが適用された平均値格納部に格納された値との重み付け平均化処理を行って格納する。このとき、入力部１００からの最初の出力値である場合は、最小値格納部、最大値格納部、及び平均値格納部にそれぞれ格納することにより初期値が設定される。それ以降の出力値は予め格納された値と比較し、その比較結果に応じて、それよりも小さい場合は最小値格納部に格納し、それよりも大きい場合は最大値格納部に格納される。
【００２５】
上記サンプリング部２００では、タッチパネルのパルスが入力されるＴｘチャンネルをスキャンする間に上記動作を繰り返し行う。サンプリング部２００は、タッチパネルのＲｘチャンネル数分備えられていればよい。すなわち、１つのＴｘチャンネルの画素をスキャンしながら、Ｒｘチャンネル数分備えられている上記サンプリング部において上記動作を繰り返し行い、重み付け平均化処理が行われた電圧を格納する。図２に示すサンプリング部２００は、Ｒｘチャンネル数が９つである実施形態であり、Ｒｘチャンネル数に応じてサンプリング部の数が変わり得る。
【００２６】
各サンプリング部２００の詳細な構造の実施形態については、図３及び図５を参照して説明することにする。
上記サンプリング部２００の出力電圧は、上記マルチプレクサー３００を介して最大／最小引き算部４００に出力される。最大／最小引き算部では、上記マルチプレクサー３００から入力された上記サンプリング部の最大値の出力電圧と最小値の出力電圧をそれぞれ第１のゲイン値で増幅した後、増幅された最大平均値と最小平均値の差に第２のゲイン値を適用するようになる。
【００２７】
最大／最小引き算部４００の詳細な構造の実施形態については、図４及び図６を参照して説明することにする。
上記アナログ／デジタル変換部（ａｎａｌｏｇ  ｔｏ  ｄｉｇｉｔａｌ  Ｃｏｎｖｅｒｔｅｒ：ＡＤＣ）５００では、上記差動増幅部からの出力をデジタル値に変換してから制御部６００へ送る。
【００２８】
上記制御部６００では、入力された電圧に基づいて外部タッチの発生の有無を感知し、且つ外部タッチが発生した位置を感知するようになる。また、上記第１のゲイン値及び第２のゲイン値を与えてゲインコントロールを行うようになる。さらに、上記制御部は、上記サンプリング部２００の感度コントロール（Ｓｅｎｓｉｔｉｖｉｔｙ  Ｃｏｎｔｒｏｌ）を行うことができる。すなわち、重み付け平均化キャパシタの大きさを調節することで重み付け平均化処理の重み付けを異ならせると、値の変化による平均値の安定化時間（ｓｅｔｔｌｉｎｇ  ｔｉｍｅ）によって感度が変わるようになるため、感度コントロールを行うことができる。
【００２９】
以下、本発明によるサンプリング部２００及び最大／最小引き算部４００の実施形態について詳しく説明する。
図３は、入力部が単一出力増幅部である場合のサンプリング部の構成の実施形態を示す。
【００３０】
図３を参照すると、サンプリング部は、少なくとも一つの比較器、最小値格納部及び最小平均値格納部、並びに最大値格納部及び最大平均値格納部を含んでいてよい。
上記比較器２１０、２１２では、上記入力部１００の出力電圧であるＳＯＰを比較器に予め格納された値と比較し、最小値格納部と最大値格納部のいずれに格納するかを判断する。
【００３１】
このとき、図３の実施形態では、比較器が最小値の判断のための比較器２１０及び最大値の判断のための比較器２１２を別体にて備えているが、実施形態によっては、かかる判断を一つの比較器で行うこともできる。
【００３２】
上記比較器の比較結果、現在入力された値が予め格納された値よりも小さい場合は、入力された値を最小値格納部２２０に格納する。最小値格納部２２０は、第１の電気容量をもつ第１のキャパシタから構成されていてよい。最小平均値格納部２３０は、第１の電気容量に重み付けが適用された第２の電気容量をもつ第２のキャパシタから構成されていてよい。図３の実施形態では、第１のキャパシタはＣで実現されており、「２」の重み付けが適用された第２のキャパシタは２Ｃで実現されている。重み付けは、「１」より大きい数にて与えられればよい。第１のキャパシタと第２のキャパシタとは並列に接続されており、スイッチを介して接続されていればよい。すなわち、比較器の出力値は最小値格納部２２０に格納され、スイッチが閉となると、上記最小平均値格納部２３０の電気容量と重み付け平均化処理が行われるようになる。
【００３３】
上記比較器の比較結果、現在入力された値が予め格納された値よりも大きい場合は、入力された値を最大値格納部２４０に格納する。最大値格納部２４０は、第１の電気容量をもつ第１のキャパシタから構成されていてよい。最大平均値格納部２５０は、第１の電気容量に重み付けを適用することにより得られる第２の電気容量をもつ第２のキャパシタから構成されていてよい。図３の実施形態では、第１のキャパシタはＣで実現されており、「２」の重み付けが適用された第２のキャパシタは２Ｃで実現されている。重み付けは正の整数である。第１のキャパシタと第２のキャパシタとは並列に接続されており、スイッチを介して接続されていればよい。すなわち、比較器の出力値は最大値格納部２４０に格納され、スイッチが閉となると、出力値に対する重み付け平均化処理が上記最大平均値格納部２５０の電気容量を用いて実行される。
【００３４】
重み付け平均化処理が行われる場合、上記第１のキャパシタと第２のキャパシタとは、第１のキャパシタと第２のキャパシタとの間のスイッチにより互いに接続されるように制御される。最小値格納部または最大値格納部に電圧が格納されれば、リアルタイムでスイッチが閉となるように制御できる。
【００３５】
重み付けの大きさによる本発明の効果の差が図１１に示されている。
図４は、入力部が単一出力増幅部である場合の最大／最小引き算部４００の構成の実施形態を示す。
【００３６】
図４を参照すると、最大／最小引き算部４００は、最大値増幅器４１０、最小値増幅器４２０、及び引き算器４３０を含んでいてよい。
サンプリング部の最大平均格納部及び最小平均格納部に格納された電圧値がマルチプレクサーを介して最大／最小引き算部４００に入力される。最大平均値は最大値増幅器４１０で増幅され、最小平均値は最小値増幅器４２０で増幅される。このとき、制御部５００は、第１のゲイン値を上記最大値増幅器４１０及び最小値増幅器４２０にそれぞれ与え、第１のゲイン値で信号を増幅するようにする。
【００３７】
次いで、最大値増幅器４１０の出力値及び最小値増幅器４２０の出力値が上記引き算器４３０に入力され、その差が求められる。このとき、上記制御部５００は、第２のゲイン値を上記引き算器４３０に与え、最大値増幅器の出力及び最小値増幅器の出力の差に第２のゲイン値が与えられるようになる。
【００３８】
上記第１のゲイン値及び第２のゲイン値が与えられた電圧値Ｖａは、次式１のように示すことができる。
【００３９】
【数１】
2011198368.tif 000003
このとき、Ｖａはタッチがなされた時とタッチがなされていない時の電圧の差を表し、Ｇ１は第１のゲイン値を表し、Ｇ２は第２のゲイン値を表す。Ａｖｇ（Ｍａｘ）は、最大値と分類され格納された電圧が重み付けが与えられた値と重み付け平均化処理が行われた結果のことを表す。Ａｖｇ（Ｍｉｎ）は、最小値と分類され格納された電圧が重み付けが与えられた値と重み付け平均化処理が行われた結果のことを表す。
【００４０】
従来のタッチパネルの駆動装置ではそれぞれのサンプリング部の数だけ増幅器を備える必要があったが、サンプリング部、マルチプレクサー、及び最大／最小引き算部を含み、増幅された電圧を制御部に伝えている本発明では、サンプリング部の数にかかわらず最大／最小引き算部に最大値増幅器及び最小値増幅器だけを備えれば済むため、製造コストを低減できるという効果がある。なお、これが、本発明の権利範囲が最大／最小引き算部において２つの増幅器のみを含むことと限定されることを意味するものではない。すなわち、本発明は、サンプリング部の最大値平均値及び最小値の平均値を増幅するための最大値増幅器及び最小値増幅器を備えることを意味し、同じ機能をする増幅器を複数備える場合も本発明の権利範囲に属するといえる。
【００４１】
上記Ｖａは、アナログ／デジタル変換部５００に入力される。
図５は、入力部が２つの出力を有する差動増幅部である場合のサンプリング部の構成の実施形態を示す。すなわち、入力部の出力値が２つである場合のサンプリング部の構成の実施形態を示している。
【００４２】
図５を参照すると、サンプリング部は、少なくとも一つの比較器、最小値格納部及び最小平均値格納部、最大値格納部及び最大平均値格納部を含んでいてよい。
上記比較器は、正の出力電圧ＳＯＰ及び負の出力電圧ＳＯＮに対してそれぞれ最小値及び最大値を判断する比較器２１０、２１１、２１２、２１３をそれぞれ備えていてよい。
【００４３】
それぞれの比較器で判断される結果に応じて正の入力電圧及び負の入力電圧に対する最小値が格納される最小値格納部２２０が複数備えられ、正の入力電圧及び負の入力電圧に対する最大値が格納される最大値格納部２４０が複数備えられる。また、正の入力電圧及び負の入力電圧に対する最小平均値格納部２３０が複数備えられ、正の入力電圧及び負の入力電圧に対する最大平均値格納部２５０が複数備えられる。
【００４４】
各構成要素の具体的な駆動は、図３に示すサンプリング部と同様である。
図６は、入力部が２つの出力を有する差動増幅部である場合の最大／最小引き算部４００の構成の実施形態を示す。
【００４５】
図６を参照すると、最大／最小引き算部４００は、最大値増幅器４１０、最小値増幅器４２０及び引き算器４３０を含んでいてよく、上記最大値増幅器４１０は、２つの出力を有し、上記最小値増幅器４２０も２つの出力を有する。
【００４６】
上記引き算器４３０には、上記最大値増幅器４１０の２つの出力及び上記最小値増幅器４２０の２つの出力がいずれも入力される。引き算器４３０は、正の入力に対する最大値と負の入力に対する最大値との差に第１のゲイン値を加えることにより得られる出力値を出力し、正の入力に対する最小値と負の入力に対する最小値との差に第２のゲイン値を加えることにより得られる出力値を出力する。
【００４７】
各構成要素の具体的な駆動は、図４に示す最大／最小引き算部と同様である。
図７は、各フレームに対するδ（ｍｘｐ、ｍｘｎ）及びδ（ｍｎｐ、ｍｎｎ）の電圧値を示す。図８は、上記δ（ｍｘｐ、ｍｘｎ）及びδ（ｍｎｐ、ｍｎｎ）の差を示す。このとき、ｍｘｐは正の最大値、ｍｘｎは負の最大値、ｍｎｐは正の最小値、そしてｍｎｎは負の最小値を表し、δ（ｍｘｐ、ｍｘｎ）は正の最大値及び負の最大値の差を表し、δ（ｍｎｐ、ｍｎｎ）は正の最小値及び負の最小値の差を表す。
【００４８】
図８を参照すると、δ（ｍｘｐ、ｍｘｎ）とδ（ｍｎｐ、ｍｎｎ）との差が変化する場合、δ（ｍｘｐ、ｍｘｎ）とδ（ｍｎｐ、ｍｎｎ）との差によって、タッチ状態の変化、またはタッチ状態からタッチがなされていない状態への変化が生じる区間を抽出することができる。すなわち、図８においてδＶから２δＶに変更されるとき、タッチ状態の変化を抽出することができ、再びδＶから２δＶに変更されるとき、タッチ状態からタッチがなされていない状態への変化を抽出することができる。
【００４９】
図９は、本発明による重み付け平均化処理に対する効果を例示する表であって、３１回のサンプリング値に対して重み付け平均化処理を行う場合における平均値の変化を示している。
【００５０】
図９を参照すると、ＳＯＰ及びＳＯＮの電圧値の変化よりもＡｖｇ（ＳＯＰ）及びＡｖｇ（ＳＯＮ）がゆっくりＳＯＰ及びＳＯＮに追従している。したがって、突然のエラー発生に追従しないため、ノイズの影響を受けないという結果となる。
【００５１】
図１０は、上記図９に示すように出力値が一定時間の経過後にもほとんど一定に保持される場合の平均値の変化を示すグラフであり、図１１は、出力値が途中で正常動作領域を外れる場合の平均値の変化を示す図であって、重み付け平均化処理を行うにあたって、重み付けを変更することにより得られる効果を示している。
【００５２】
図１０を参照すると、出力値がある期間一定に保持されてから出力値の急激な変化があった場合でも、重み付けの変化は、誤作動と検出されずに実際の信号の変化として検出される。重み付け平均値は、実際の信号の変化に追従することを示している。
【００５３】
図１１を参照すると、重み付け平均化処理を行うにあたって、重み付け値が大きくなるとＳＯＰ及びＳＯＮの実際の信号の値をゆっくり追従し、重み付け値が小さくなるとＳＯＰ及びＳＯＮの実際の信号の値をよりゆっくり追従するようになる。これを用いて信号に対する感度を制御することができる。すなわち、重み付け平均化キャパシタの大きさを調節することで重み付け平均化処理の重み付けを変更すると、値の変化による平均値の安定化時間によって感度が変わるようになるため、感度コントロールを行うことができる。
【００５４】
図１２は、本発明によるタッチパネルの駆動装置の制御のための信号のタイミングを説明する図である。
以上の説明は、本発明の技術思想を例示的に説明したものに過ぎず、本発明の属する技術分野における通常の知識を有する者ならば、本発明の本質的な特性から逸脱しない範囲で種々の修正及び変形が可能であろう。したがって、本発明に開示された実施形態は、本発明の技術思想を限定するためのものではなく説明するためのものに過ぎず、このような実施形態によって本発明の技術思想の範囲が限定されるものではない。本発明の保護範囲は、特許請求の範囲によって解釈されるべきであり、それと同等な範囲内にあるすべての技術思想は、本発明の権利範囲に含まれることと解釈されるべきである。
【符号の説明】
【００５５】
１００：入力部
２００：サンプリング部
３００：マルチプレクサー
４００：最大／最小引き算部
５００：アナログ／デジタル変換部
６００：制御部
【図１】
2011198368.tif 000004
【図２】
2011198368.tif 000005
【図３】
2011198368.tif 000006
【図４】
2011198368.tif 000007
【図５】
2011198368.tif 000008
【図６】
2011198368.tif 000009
【図７】
2011198368.tif 000010
【図８】
2011198368.tif 000011
【図９】
2011198368.tif 000012
【図１０】
2011198368.tif 000013
【図１１】
2011198368.tif 000014
【図１２】
2011198368.tif 000015